(57)【要約】【課題】  作業がし易くなるのは勿論のこと、部品点数が少なくてすみ、さらには高周波特性や引張強度の維持が可能な同軸ケーブルの端末処理構造及び同軸ケーブル用シールド端子を提供する。また、同軸ケーブルの端末処理構造及び同軸ケーブル用シールド端子に関して有用となる加締め装置を提供する。【解決手段】  同軸ケーブル１用のシールド端子５の圧着部１４に、同軸ケーブル１の延在方向に対して直交方向となるスリット１４ｃを形成する。圧着部１４を加締める過程において、スリット１４ｃの間隔を狭めて同軸ケーブル１の絶縁シース１０及び／又は絶縁シース１０の外側に露出させた編組、すなわち環状突出編組部３を挟み込む。【選択図】    図１
2006269143.tif 000002
【特許請求の範囲】
【請求項１】
同軸ケーブル用シールド端子の圧着部に同軸ケーブルの延在方向に対して直交方向となるスリットを形成し、前記圧着部を加締める過程において前記スリットの間隔を狭めて前記同軸ケーブルの絶縁シース及び／又は該絶縁シースの外側に露出させた編組を挟み込む
ことを特徴とする同軸ケーブルの端末処理構造。
【請求項２】
請求項１に記載の同軸ケーブルの端末処理構造において、
前記スリットに挟み込まれる前記編組は、前記絶縁シースの中間を皮むきし、一方の絶縁シースを他方の絶縁シースに引き寄せ、この引き寄せに伴って前記皮むき部分に露出する編組を前記一方、前記他方の絶縁シースの端部間から外側へ環状に突出させてなる
ことを特徴とする同軸ケーブルの端末処理構造。
【請求項３】
圧着部を有する同軸ケーブル用シールド端子において、
前記圧着部は、同軸ケーブルの延在方向に対して直交方向となり、加締めの過程において間隔を狭めると前記同軸ケーブルの絶縁シース及び／又は該絶縁シースの外側に露出させた編組を挟み込むスリットを有する
ことを特徴とする同軸ケーブル用シールド端子。
【請求項４】
請求項３に記載の同軸ケーブル用シールド端子において、
前記スリットに挟み込まれる前記編組は、前記絶縁シースの中間を皮むきし、一方の絶縁シースを他方の絶縁シースに引き寄せ、この引き寄せに伴って前記皮むき部分に露出する編組を前記一方、前記他方の絶縁シースの端部間から外側へ環状に突出させてなる
ことを特徴とする同軸ケーブル用シールド端子。
【請求項５】
同軸ケーブル用シールド端子の圧着部を案内する圧着部案内溝を形成した圧着用加締め刃を備える加締め装置において、
前記圧着部案内溝の側部は、同軸ケーブルの延在方向に対して直交方向となるスリットを有する前記圧着部の、前記スリット間隔を狭めるための先窄まりのテーパ面となる
ことを特徴とする加締め装置。
【発明の詳細な説明】
【技術分野】
【０００１】
本発明は、同軸ケーブルの端末処理に係る構造と、同軸コネクタを構成する同軸ケーブル用シールド端子と、同軸ケーブル用シールド端子の圧着部を加締める圧着用加締め刃を有する加締め装置とに関する。
【背景技術】
【０００２】
アンテナ線などの高周波信号伝送に用いられる同軸ケーブルは、一般的に、中心導体としての芯線と、誘電体としての絶縁体と、外部導体としての金属テープ導体及び編組と、外皮としての絶縁シースと、を中心から順に備えて構成されている。このような構成の同軸ケーブルには、相手側の機器や同軸ケーブル等に接続するために、端末に同軸コネクタが設けられている。同軸コネクタは、編組を相手側同軸コネクタにアース接続して電磁波や静電気などの電気的ノイズを遮断するようにした同軸ケーブル用シールド端子を有している。
【０００３】
同軸ケーブルと同軸コネクタとの接続構造に関しては、次のような構造が提案されている。すなわち、先ず、同軸ケーブルの端末において編組を露出させ、そして露出させた編組をほぐし、ほぐした編組とこの内側の金属テープ導体（又は絶縁体）との間の隙間に、同軸コネクタの接続導体部を差し込むという作業が行われる。次に、同軸ケーブル及び同軸コネクタに対して別体となる金属スリーブを、上記の露出させた編組の位置で加締めるという作業が行われる。金属スリーブを加締めることにより、同軸ケーブル及び同軸コネクタは電気的且つ機械的に接続されるようになる（例えば特許文献１参照）。
【０００４】
上記接続構造は、絶縁体及び外部導体の断面輪郭を同心円の状態から変形させないようにするために、言い換えれば高周波特性を満足させるために、編組とこの内側の金属テープ導体（又は絶縁体）との間の隙間に同軸コネクタの接続導体部を差し込むような構造になっている。このような接続構造は、同軸ケーブル及び同軸コネクタの所定の引張強度を満足させることができるようにもなっている。
【特許文献１】特開２００４−５５４７５号公報  （第４−５頁、第１−４図）
【発明の開示】
【発明が解決しようとする課題】
【０００５】
ところで、上記従来技術にあっては、同軸ケーブル及び同軸コネクタに対して別体となる金属スリーブを準備し、そして取り付けるという製造及び作業が必要になる。従って、従来の接続構造は、部品点数が嵩むという問題点や、作業性に影響を来すという問題点を有している。
【０００６】
本発明は、上述した事情に鑑みてなされたもので、作業がし易くなるのは勿論のこと、部品点数が少なくてすみ、さらには高周波特性や引張強度の維持が可能な同軸ケーブルの端末処理構造及び同軸ケーブル用シールド端子を提供することを課題とする。また、同軸ケーブルの端末処理構造及び同軸ケーブル用シールド端子に関して有用となる加締め装置を提供することを課題とする。
【課題を解決するための手段】
【０００７】
上記課題を解決するためになされた請求項１記載の本発明の同軸ケーブルの端末処理構造は、同軸ケーブル用シールド端子の圧着部に同軸ケーブルの延在方向に対して直交方向となるスリットを形成し、前記圧着部を加締める過程において前記スリットの間隔を狭めて前記同軸ケーブルの絶縁シース及び／又は該絶縁シースの外側に露出させた編組を挟み込むことを特徴としている。
【０００８】
このような特徴を有する本発明によれば、同軸ケーブル用シールド端子の圧着部に形成されたスリットの間隔が狭められ、この時に、絶縁シース及び／又は絶縁シースの外側に露出させた編組が挟み込まれる。これにより、同軸ケーブルと同軸ケーブル用シールド端子とが接続固定される。本発明では、絶縁シース及び／又は絶縁シースの外側に露出させた編組の挟み込みが同軸ケーブルの延在方向に沿って行われることから、同軸ケーブルの絶縁体及び外部導体の断面輪郭が変形するようなことはない。これにより、高周波特性の維持が可能になる。また、本発明では、絶縁シース及び／又は絶縁シースの外側に露出させた編組が挟み込まれることから、引張強度の維持が可能になる。さらに、本発明では、金属スリーブが不要であることから、少ない部品点数で同軸ケーブルの端末処理が可能になるとともに、端末処理に係る作業も容易にすることが可能になる。
【０００９】
請求項２記載の本発明の同軸ケーブルの端末処理構造は、請求項１に記載の同軸ケーブルの端末処理構造において、前記スリットに挟み込まれる前記編組は、前記絶縁シースの中間を皮むきし、一方の絶縁シースを他方の絶縁シースに引き寄せ、この引き寄せに伴って前記皮むき部分に露出する編組を前記一方、前記他方の絶縁シースの端部間から外側へ環状に突出させてなることを特徴としている。
【００１０】
このような特徴を有する本発明によれば、環状に突出する編組（環状突出編組部）が同軸ケーブルに形成され、この環状に突出する編組とスリットを有する圧着部とが電気的且つ機械的に接続固定される。
【００１１】
上記課題を解決するためになされた請求項３記載の本発明の同軸ケーブル用シールド端子は、圧着部を有する同軸ケーブル用シールド端子において、前記圧着部は、同軸ケーブルの延在方向に対して直交方向となり、加締めの過程において間隔を狭めると前記同軸ケーブルの絶縁シース及び／又は該絶縁シースの外側に露出させた編組を挟み込むスリットを有することを特徴としている。
【００１２】
このような特徴を有する本発明によれば、同軸ケーブルの絶縁シース及び／又は絶縁シースの外側に露出させた編組が圧着部のスリットに挟み込まれる。圧着部に対する加締め過程において、スリットの間隔が狭められ、絶縁シース及び／又は絶縁シースの外側に露出させた編組が挟み込まれる。これにより、同軸ケーブルと同軸ケーブル用シールド端子とが接続固定される。本発明では、絶縁シース及び／又は絶縁シースの外側に露出させた編組の挟み込みが同軸ケーブルの延在方向に沿って行われることから、同軸ケーブルの絶縁体及び外部導体の断面輪郭が変形するようなことはない。これにより、高周波特性の維持が可能になる。また、本発明では、絶縁シース及び／又は絶縁シースの外側に露出させた編組が挟み込まれることから、引張強度の維持が可能になる。さらに、本発明では、金属スリーブが不要であることから、少ない部品点数で同軸ケーブルの端末処理が可能になるとともに、端末処理に係る作業も容易にすることが可能になる。
【００１３】
請求項４記載の本発明の同軸ケーブル用シールド端子は、請求項３に記載の同軸ケーブル用シールド端子において、前記スリットに挟み込まれる前記編組は、前記絶縁シースの中間を皮むきし、一方の絶縁シースを他方の絶縁シースに引き寄せ、この引き寄せに伴って前記皮むき部分に露出する編組を前記一方、前記他方の絶縁シースの端部間から外側へ環状に突出させてなることを特徴としている。
【００１４】
このような特徴を有する本発明によれば、同軸ケーブルに形成された環状に突出する編組（環状突出編組部）と、スリットを有する圧着部とが電気的且つ機械的に接続固定される。
【００１５】
上記課題を解決するためになされた請求項５記載の本発明の加締め装置は、同軸ケーブル用シールド端子の圧着部を案内する圧着部案内溝を形成した圧着用加締め刃を備える加締め装置において、前記圧着部案内溝の側部は、同軸ケーブルの延在方向に対して直交方向となるスリットを有する前記圧着部の、前記スリット間隔を狭めるための先窄まりのテーパ面となることを特徴としている。
【００１６】
このような特徴を有する本発明によれば、同軸ケーブル用シールド端子の圧着部の加締め過程において、圧着部は圧着用加締め刃の圧着部案内溝に差し込まれてこの溝内部に案内される。圧着部が案内される圧着部案内溝の側部は、先窄まりのテーパ面であることから、このテーパ面によって圧着部のスリットの間隔が狭まる。圧着部のスリットの間隔が狭まると、絶縁シース及び／又は絶縁シースの外側に露出させた編組が挟み込まれ、同軸ケーブルと同軸ケーブル用シールド端子とが接続固定される。
【発明の効果】
【００１７】
請求項１に記載された本発明によれば、作業がし易くなるのは勿論のこと、部品点数が少なくてすみ、さらには高周波特性や引張強度の維持が可能な同軸ケーブルの端末処理構造を提供することができるという効果を奏する。
【００１８】
請求項２に記載された本発明によれば、環状に突出する編組を電気的且つ機械的に接続固定し易くすることができるという効果を奏する。
【００１９】
請求項３に記載された本発明によれば、作業がし易くなるのは勿論のこと、部品点数が少なくてすみ、さらには高周波特性や引張強度の維持が可能な同軸ケーブル用シールド端子を提供することができるという効果を奏する。
【００２０】
請求項４に記載された本発明によれば、環状に突出する編組を電気的且つ機械的に接続固定し易くすることができるという効果を奏する。
【００２１】
請求項５に記載された本発明によれば、同軸ケーブルの端末処理構造及び同軸ケーブル用シールド端子に関して有用となる加締め装置を提供することができるという効果を奏する。
【発明を実施するための最良の形態】
【００２２】
以下、図面を参照しながら説明する。
図１は本発明の同軸ケーブルの端末処理構造及び同軸ケーブル用シールド端子の一実施の形態を示す図であり、同軸ケーブルを同軸ケーブル用シールド端子に接続する前の状態を示す斜視図である。また、図２は加工前の同軸ケーブルを示す斜視図、図３は同軸ケーブルにおける絶縁シースの中間を皮むきした状態を示す斜視図、図４は同軸ケーブルに環状突出編組部を形成した状態を示す斜視図、図５は芯線を露出した状態を示す斜視図、図６は芯線にインナー端子を取り付けた状態を示す斜視図である。
【００２３】
先ず説明に入る前に、本明細書では、同軸ケーブルの端末に同軸コネクタやアース専用の端子金具を電気的に接続し且つ機械的に固定する構造を、同軸ケーブルの端末処理構造と定義する。本明細書においては、特に限定するものではないが、同軸コネクタを端末に設ける場合について説明する。
【００２４】
図１において、引用符号１は同軸ケーブル、引用符号２は同軸コネクタを示している。同軸ケーブル１は、環状突出編組部３を有している。同軸コネクタ２は、インナー端子４とシールド端子（同軸ケーブル用シールド端子）５とを備えて構成されている。シールド端子５は、編組接続固定部６（特許請求の範囲に記載した圧着部１４を含む）を有している。以下、図１ないし図６を参照しながら各構成について説明する。
【００２５】
上記同軸ケーブル１は、中心導体としての芯線７と、誘電体としての絶縁体８と、外部導体としての金属テープ導体（図示省略）及び編組９と、外皮としての絶縁シース１０とを備えて構成されている。芯線７は、同軸ケーブル１の中心に位置しており、この外側に絶縁体８〜絶縁シース１０が順に設けられている。芯線７〜絶縁シース１０は、公知のものであり、ここでは詳細な説明を省略する。
【００２６】
環状突出編組部３は、同軸ケーブル１の端末に形成されている。具体的には、同軸ケーブル１の端面から所定の位置に配置形成されている。環状突出編組部３は、編組９を加工してなるものであって、絶縁シース１０の外側へ環状に突出するような図示の形状に形成されている。
【００２７】
ここで、環状突出編組部３の形成について説明する。同軸ケーブル１の端末は、例えば図２に示すような状態にあるものとする。先ず、図３に示すように絶縁シース１０の中間を皮むきし、この皮むきの部分の両側に、一方の絶縁シース１０ａ及び他方の絶縁シース１０ｂを形成する。一方の絶縁シース１０ａは、同軸ケーブル１の端面側に位置するものとする。尚、上記皮むきの部分からは、編組９が露出する。次に、図４に示すように一方の絶縁シース１０ａを他方の絶縁シース１０ｂ側に引き寄せる。この時、引き寄せに伴って、露出した状態の編組９が一方の絶縁シース１０ａ及び他方の絶縁シース１０ｂの端部間から外側へ環状に突出する。環状突出編組部３は、このような手順で形成されている。
【００２８】
編組９は、特に他方の絶縁シース１０ｂによって覆われることから、環状突出編組部３自体が移動することのないような構造になっている。このような環状突出編組部３には、後述するが、シールド端子５が編組接続固定部６を介して電気的に且つ機械的に接続されるようになっている。尚、特許請求の範囲に記載した絶縁シースの外側に露出させる編組としては、環状突出編組部３に限らないものとする。すなわち、従来例のような編組の露出方法であっても良いものとする。
【００２９】
上記同軸コネクタ２を構成するインナー端子４は、同軸ケーブル１の芯線７（環状突出編組部３の形成の際に、一方の絶縁シース１０ａを他方の絶縁シース１０ｂに引き寄せると絶縁体８が露出し、この絶縁体８の一部を図５に示すように除去すると芯線７が露出する）に電気的に且つ機械的に接続されている（図１及び図６参照）。インナー端子４は、導電性を有しており、図示のようなピン状に形成されている。
【００３０】
上記同軸コネクタ２を構成するシールド端子５は、略筒状のシールド端子本体１１と、このシールド端子本体１１の内側において前後方向に移動可能に設けられる誘電体１２と、シールド端子本体１１の後部に連成される編組接続固定部６とを有している。シールド端子本体１１及び編組接続固定部６は、導電性を有する金属薄板を加工することにより形成されている。誘電体１２は、断面略円形状に形成されている。誘電体１２は、この中心にインナー端子４の先端側を差し込むことができるように形成されている。
【００３１】
編組接続固定部６は、シールド端子本体１１に対する連続部分１３と、環状突出編組部３に対する圧着部１４とを有している。圧着部１４は、連続部分１３に連成される基板１４ａと、この基板１４ａの左右両側から上方に突出する加締め片１４ｂとを有している。基板１４ａは、円弧状に形成されている。各加締め片１４ｂには、スリット１４ｃと絶縁シース保持部１４ｄとが形成されている。
【００３２】
スリット１４ｃは、同軸ケーブル１の延在方向に対して直交方向に形成されている。スリット１４ｃは、環状突出編組部３を挟み込んで圧着する部分として形成されている。各加締め片１４ｂは、後述するが、加締めを施すとスリット１４ｃの間隔が狭まり、スリット１４ｃによって環状突出編組部３を挟み込むことができるように形成されている（環状突出編組部３と、一方の絶縁シース１０ａ及び他方の絶縁シース１０ｂの端部とを一緒に挟み込むことも可能。スリット１４ｃの挟み込みにより環状突出編組部３との電気的な接続が完了する。また、引張強度も維持される）。
【００３３】
絶縁シース保持部１４ｄは、スリット１４ｃの両側に形成されている。絶縁シース保持部１４ｄは、加締めを施すと一方の絶縁シース１０ａ及び他方の絶縁シース１０ｂを補助的に保持する（同軸ケーブル１の絶縁体８及び外部導体の断面輪郭を変形させない程度に保持する）ことができるように形成されている。
【００３４】
次に、図１と図７ないし図１３とを参照しながら上記構成に基づく同軸ケーブル１の端末処理に係る手順について説明する。また、本発明の加締め装置についても説明する。
【００３５】
図７は同軸ケーブルを同軸ケーブル用シールド端子にセットした状態を示す斜視図、図８は加締め過程に入る直前の状態を示す斜視図、図９は加締め過程の最中の状態を示す斜視図、図１０は同軸ケーブルと同軸ケーブル用シールド端子との接続が完了した状態を示す斜視図、図１１は加締め過程に入る直前の圧着部と圧着部案内溝の状態を示す斜視図、図１２は圧着部を圧着部案内溝に案内した状態を示す斜視図（スリットの間隔を狭める前の図）、図１３は圧着部を圧着部案内溝に案内した状態を示す斜視図（スリットの間隔を狭めた後の図）である。
【００３６】
図１において、環状突出編組部３を形成し、この後にインナー端子４を接続固定した同軸ケーブル１を準備する。また、圧着部１４を有する編組接続固定部６を形成したシールド端子５も準備する。環状突出編組部３の形成については上述した通りである。図１の状態から図７に示すように、インナー端子４をシールド端子５のシールド端子本体１１内に収納する。また、同軸ケーブル１の環状突出編組部３をシールド端子５の編組接続固定部６のスリット１４ｄの間に差し込みセットする。さらに、誘電体１２を後方にスライドさせ、インナー端子４の先端を誘電体１２によって保持する（これは一番最後の作業でも良い）。
【００３７】
図７の状態から図８ないし図１０に示すように、圧着部１４の各加締め片１４ｂを、加締め装置１５を用いて加締め、スリット１４ｃの間隔を狭めるとともに、一方の絶縁シース１０ａ及び他方の絶縁シース１０ｂを絶縁シース保持部１４ｄにより補助的に保持する。これにより、同軸ケーブル１の端末に同軸コネクタ２が完全に取り付けられ、端末処理に係る一連の作業が完了する。
【００３８】
図８ないし図１３において、加締め装置１５は、圧着用加締め刃１５ａと受け部１５ｂとを備えて構成されている。ここで、加締め装置１５に備えられる一般的な機能についてはその図示が省略されているものとする。圧着用加締め刃１５ａには、加締め過程において各加締め片１４ｂを案内する圧着部案内溝１５ｃが形成されている。圧着部案内溝１５ｃの側部は、先窄まり形状に形成されている。すなわち、圧着部案内溝１５ｃの側部は、各加締め片１４ｂを案内しつつ各加締め片１４ｂを加締めながらスリット１４ｃの間隔を狭めるようなテーパ面１５ｄとして形成されている。
【００３９】
以上、図１ないし図１３を参照しながら説明してきたように、本発明は、同軸ケーブル１に形成した環状突出編組部３と、同軸コネクタ２のシールド端子５の圧着部１４とを接続固定する端末処理構造を有する。従って、本発明は上記説明からも分かるように、端末処理に係る作業を従来よりも容易にすることができる。また、本発明では、従来必要としていた金属スリーブを不要にすることができる。従って、従来よりも少ない部品点数で同軸ケーブル１の端末処理を行うことができる。また、本発明では、同軸ケーブル１の絶縁体８及び上記外部導体の断面輪郭を変形させないような構造にすることができる。従って、高周波特性を従来よりも良好に維持することができる。また、本発明では、構造的に他方の絶縁シース１０ｂ側の編組９が動かないことから、環状突出編組部３に接続固定したシールド端子５の位置を安定させることができる。従って、引張強度を従来よりも良好に維持することができる。
【００４０】
その他、本発明は本発明の主旨を変えない範囲で種々変更実施可能なことは勿論である。一例としては、環状突出編組部３を形成せずに圧着部１４によって絶縁シース１０の表面部分のみを挟み込み、これによって同軸ケーブル１とシールド端子５とを固定する端末処理構造としても良いものとする。
【図面の簡単な説明】
【００４１】
【図１】本発明の同軸ケーブルの端末処理構造及び同軸ケーブル用シールド端子の一実施の形態を示す図であり、同軸ケーブルを同軸ケーブル用シールド端子に接続する前の状態を示す斜視図である。
【図２】加工前の同軸ケーブルを示す斜視図である。
【図３】同軸ケーブルにおける絶縁シースの中間を皮むきした状態を示す斜視図である。
【図４】同軸ケーブルに環状突出編組部を形成した状態を示す斜視図である。
【図５】芯線を露出した状態を示す斜視図である。
【図６】芯線にインナー端子を取り付けた状態を示す斜視図である。
【図７】同軸ケーブルを同軸ケーブル用シールド端子にセットした状態を示す斜視図である。
【図８】加締め過程に入る直前の状態を示す斜視図である。
【図９】加締め過程の最中の状態を示す斜視図である。
【図１０】同軸ケーブルと同軸ケーブル用シールド端子との接続が完了した状態を示す斜視図である。
【図１１】加締め過程に入る直前の圧着部と圧着部案内溝の状態を示す斜視図である。
【図１２】圧着部を圧着部案内溝に案内した状態を示す斜視図（スリットの間隔を狭める前の図）である。
【図１３】圧着部を圧着部案内溝に案内した状態を示す斜視図（スリットの間隔を狭めた後の図）である。
【符号の説明】
【００４２】
１  同軸ケーブル
２  同軸コネクタ
３  環状突出編組部（露出させた編組）
４  インナー端子
５  シールド端子（同軸ケーブル用シールド端子）
６  編組接続固定部
７  芯線
８  絶縁体
９  編組
１０  絶縁シース
１０ａ  一方の絶縁シース
１０ｂ  他方の絶縁シース
１１  シールド端子本体
１２  誘電体
１３  連続部分
１４  圧着部
１４ａ  基板
１４ｂ  加締め片
１４ｃ  スリット
１４ｄ  絶縁シース保持部
１５  加締め装置
１５ａ  圧着用加締め刃
１５ｂ  受け部
１５ｃ  圧着部案内溝
１５ｄ  テーパ面
【図１】
2006269143.tif 000003
【図２】
2006269143.tif 000004
【図３】
2006269143.tif 000005
【図４】
2006269143.tif 000006
【図５】
2006269143.tif 000007
【図６】
2006269143.tif 000008
【図７】
2006269143.tif 000009
【図８】
2006269143.tif 000010
【図９】
2006269143.tif 000011
【図１０】
2006269143.tif 000012
【図１１】
2006269143.tif 000013
【図１２】
2006269143.tif 000014
【図１３】
2006269143.tif 000015